(57)【要約】      （修正有）【課題】消費電力の低減が可能な集中監視装置を提供する。【解決手段】収容庫内の温度が被保存物を保存するための設定温度となるように収容庫内を冷却又は加熱する温度可変装置を有する保存機器等の被監視機器を集中監視する集中監視装置であって、温度可変装置が第１時間帯の運転よりも省電力運転を行う第２時間帯を示す第１情報と第２時間帯の設定温度を示す第２情報が入力される入力装置、第１情報及び第２情報を記憶する記憶装置、現在時刻を計時する計時装置、記憶装置が記憶する第１情報及び第２情報と計時装置が計時する現在時刻に基づいて、現在時刻が第２時間帯の開始時刻になると、温度可変装置が収容庫内の温度を第２時間帯の設定温度とする運転を開始し、現在時刻が第２時間帯の終了時刻になると、温度可変装置が収容庫内の温度を第２時間帯の設定温度とする運転を終了するように温度可変装置を制御する制御装置を備える。【選択図】図１
2010190521.tif 000002
【特許請求の範囲】
【請求項１】
被保存物を収容する収容庫、前記収容庫内の温度を検出する温度センサ、前記温度センサの検出温度を参照し、前記収容庫内の温度が前記被保存物を保存するための設定温度となるように前記収容庫内を冷却又は加熱する温度可変装置、を有する保存機器等の被監視機器を、通信回線を介して集中監視する集中監視装置において、
前記温度可変装置が第１時間帯の運転よりも省電力運転を行う第２時間帯を示す第１情報と、前記第２時間帯の設定温度を示す第２情報とが入力される入力装置と、
前記入力装置からの前記第１情報及び前記第２情報を記憶する記憶装置と、
現在時刻を計時する計時装置と、
前記記憶装置が記憶する前記第１情報及び前記第２情報と、前記計時装置が計時する現在時刻とに基づいて、現在時刻が前記第２時間帯の開始時刻になると、前記温度可変装置が前記収容庫内の温度を前記第２時間帯の設定温度とする運転を開始し、現在時刻が前記第２時間帯の終了時刻になると、前記温度可変装置が前記収容庫内の温度を前記第２時間帯の設定温度とする運転を終了するように、前記通信回線を介して前記温度可変装置を制御する制御装置と、
を備えたことを特徴とする集中監視装置。
【請求項２】
前記入力装置からの前記第１情報及び前記第２情報を表示する表示装置を更に備えたことを特徴とする請求項１に記載の集中監視装置。
【請求項３】
前記被監視機器は、前記被保存物を冷却する冷却貯蔵庫であることを特徴とする請求項１又は２に記載の集中監視装置。
【請求項４】
前記第２時間帯の設定温度は、前記第１時間帯の設定温度よりも高いことを特徴とする請求項３に記載の集中監視装置。
【請求項５】
被保存物を収容する収容庫、前記収容庫内の温度を検出する温度センサ、前記温度センサの検出温度を参照し、前記収容庫内の温度が前記被保存物を保存するための設定温度となるように前記収容庫内を冷却又は加熱する温度可変装置、を有する保存機器等の被監視機器を、通信回線を介して集中監視する集中監視装置において、
前記被監視機器を設置した施設の平面図を表す画像情報を記憶する記憶装置と、
前記記憶装置から読み出した画像情報を表示する表示装置と、
前記被監視機器を表すアイコンを前記画像情報に重ねて前記表示装置に表示する制御装置と、
を備えたことを特徴とする集中監視装置。
【請求項６】
前記制御装置は、検出温度等の情報を前記被監視機器から受信して前記記憶装置に更に記憶し、前記表示されたアイコンに指示入力があると、前記指示入力に応じて、前記アイコンに対応する前記被監視機器に係る前記情報を前記記憶装置から読み出し、前記表示装置に前記アイコンに対応する前記被監視機器に係る前記情報を前記アイコンの近傍に表示させる、ことを特徴とする請求項５に記載の集中監視装置。
【発明の詳細な説明】
【技術分野】
【０００１】
本発明は、集中監視装置に関する。
【背景技術】
【０００２】
収容庫内の温度が被保存物を保存するための設定温度となるように同収容庫内を冷却又は加熱する温度可変装置を備えた保存機器が知られている。また、この保存機器の温度可変装置の故障等を検知するべく、温度センサにより検出される収容庫内の温度を監視し、その検出温度と設定温度とを比較して故障等の有無を判別する集中監視装置が開示されている（例えば特許文献１参照）。  
尚、保存機器は、例えば冷却貯蔵庫である場合、庫内を設定温度まで冷却するために、温度可変装置として冷凍回路を備えており、例えば培養装置である場合、培養室内を設定温度まで加熱するために、温度可変装置としてヒータを備えている。  
ところで、被保存物の出し入れのために収容庫の扉が開けられると、収容庫の内外の温度差に応じた負荷が発生し、同負荷が収容庫内の温度を収容庫外の温度に近づける方向に作用するため、収容庫内の設定温度は、例えばこのような負荷が所定頻度で発生することを前提に設定される。
【先行技術文献】
【特許文献】
【０００３】
【特許文献１】特開平６−８８６６６号公報
【発明の概要】
【発明が解決しようとする課題】
【０００４】
収容庫の扉の開閉等の外乱は、例えば保存機器の使用形態等に応じて１日における頻度分布が異なるため、例えば被保存物の保存に影響を与えない範囲で収容庫内の設定温度を上下させることは、温度可変装置の省電力化にとって望ましい。しかしながら、前述した保存機器では、一定の外乱を前提に設定温度が固定されているため、例えば外乱の影響がそれほど大きくないタイミングでは、固定された設定温度に応じて運転する温度可変装置によって電力が無駄に消費されるという問題が生じる。  
一方、前述した集中監視装置の主たる目的は故障等の検知及びその通報であるため、故障等が発生しない限り、収容庫内での設定温度の維持は保存機器側で個別に行なわれ、集中監視装置側はこのような制御に関与しない。このため、前述した電力消費の問題は依然解決できない。
【課題を解決するための手段】
【０００５】
前記課題を解決するための発明は、被保存物を収容する収容庫、前記収容庫内の温度を検出する温度センサ、前記温度センサの検出温度を参照し、前記収容庫内の温度が前記被保存物を保存するための設定温度となるように前記収容庫内を冷却又は加熱する温度可変装置、を有する保存機器等の被監視機器を、通信回線を介して集中監視する集中監視装置であって、前記温度可変装置が第１時間帯の運転よりも省電力運転を行う第２時間帯を示す第１情報と、前記第２時間帯の設定温度を示す第２情報とが入力される入力装置と、前記入力装置からの前記第１情報及び前記第２情報を記憶する記憶装置と、現在時刻を計時する計時装置と、前記記憶装置が記憶する前記第１情報及び前記第２情報と、前記計時装置が計時する現在時刻とに基づいて、現在時刻が前記第２時間帯の開始時刻になると、前記温度可変装置が前記収容庫内の温度を前記第２時間帯の設定温度とする運転を開始し、現在時刻が前記第２時間帯の終了時刻になると、前記温度可変装置が前記収容庫内の温度を前記第２時間帯の設定温度とする運転を終了するように、前記通信回線を介して前記温度可変装置を制御する制御装置とを備えている。
【発明の効果】
【０００６】
本発明によれば、保存機器の温度可変装置は、時間帯によって影響の異なる外乱に応じて省電力運転できる。
【図面の簡単な説明】
【０００７】
【図１】本実施の形態の集中監視システムの一例のブロック図である。
【図２】本実施の形態の冷凍回路の一例の回路図である。
【図３】本実施の形態のエコモード用データの構成例を示す図表である。
【図４】本実施の形態のグラフ表示用データの構成例を示す図表である。
【図５】本実施の形態のマップデータの構成例を示す図表である。
【図６】本実施の形態のエコモード設定用画面の一例を示す模式図である。
【図７】本実施の形態の表示用画面のグラフ表示領域の一例を示す模式図である。
【図８】本実施の形態の表示用画面のマップ表示領域の一例を示す模式図である。
【発明を実施するための形態】
【０００８】
本明細書及び添付図面の記載により、少なくとも以下の事項が明らかとなる。  
図１乃至図８を参照しつつ、本実施の形態の集中監視装置１０について説明する。尚、図１は、本実施の形態の集中監視システム１の一例のブロック図である。図２は、本実施の形態の冷凍回路２０の一例の回路図である。図３は、本実施の形態のエコモード用データ１４２の構成例を示す図表である。図４は、本実施の形態のグラフ表示用データ１４３の構成例を示す図表である。図５は、本実施の形態のマップデータ１４４の構成例を示す図表である。図６は、本実施の形態のエコモード設定用画面１４２０の一例を示す模式図である。図７は、本実施の形態の表示用画面１４００のグラフ表示領域１４３０の一例を示す模式図である。図８は、本実施の形態の表示用画面１４００のマップ表示領域１４４０の一例を示す模式図である。
【０００９】
図１に例示されるように、集中監視装置１０は、集中監視対象である冷却貯蔵庫Ａ、Ｂ、Ｃ等（「冷却貯蔵庫２」と総称する）と、例えばＬＡＮ（Local Area Network）等の通信回線３を介して通信可能に接続されて、集中監視システム１を構成している。尚、本実施の形態では、複数の冷却貯蔵庫２が、例えば研究所等の施設内の各部屋に分散して設置され、１つの集中監視装置１０が、同施設内又は同施設外に設置されている。
【００１０】
<<<冷却貯蔵庫>>>
図１に例示されるように、冷却貯蔵庫（保存機器）２は、後述する冷凍回路（温度可変装置）２０と、ＣＰＵ２５０と、通信インタフェース２５１と、ＲＯＭ２５２と、ＲＡＭ２５３と、カスケード温度センサ２４と、庫内温度センサ（温度センサ）２５とを備えている。
【００１１】
ＣＰＵ２５０は、冷凍回路２０の運転制御等の所定の処理を実行する。通信インタフェース２５１は、通信回線３に接続されて、データ（後述するチャネルの情報や設定温度の情報等）の送受信をする。ＲＯＭ２５２は、ＣＰＵ２５０の処理手順を定めるプログラム等を記憶する。ＲＡＭ２５３は、ＣＰＵ２５０の処理に用いられるデータ等を記憶するものであるが、フラッシュＲＯＭ等の不揮発性メモリでもよい。カスケード温度センサ２４は、後述するカスケードコンデンサ２３の温度（「カスケード温度」と称する）を検出する例えばサーミスタや熱電対等である。庫内温度センサ２５は、後述する内箱２ａの内部（「庫内」と称する）の温度（「庫内温度」と称する）を検出する例えばサーミスタや熱電対等である。
【００１２】
図２に例示されるように、本実施の形態の冷凍回路２０は、例えば、沸点の異なる２つの冷媒を用いる二元冷凍回路であり、沸点が高い方の冷媒が封入された高温側の冷凍回路２１と、沸点が低い方の冷媒が封入された低温側の冷凍回路２２とを備えている。但し、冷凍回路２０は、このような二元冷凍回路に限定されるものではなく、要するに庫内を冷却する如何なる冷却手段であってもよい。
【００１３】
高温側の冷凍回路２１は、圧縮機２１１、凝縮器２１２、キャピラリチューブ２１３、及び蒸発器２１４が冷媒配管２１５で環状に接続されて構成され、低温側の冷凍回路２２は、圧縮機２２１、凝縮器２２３、キャピラリチューブ２２４、及び蒸発器２２５が冷媒配管２２６で環状に接続されて構成されている。尚、高温側の冷凍回路２１において、凝縮器２１２は、コンデンサ２１２ｂと、同コンデンサ２１２ｂの前段で冷媒を予め放熱させるためのプレコンデンサ２１２ａとから構成されている。また、低温側の冷凍回路２２において、凝縮器２２３の前段には、冷媒を予め放熱させるためのプレコンデンサ２２２が設けられている。
【００１４】
蒸発器２１４及び凝縮器２２３は、相互に熱交換可能に配置されて、カスケードコンデンサ２３を構成している。蒸発器２２５は、貯蔵庫を構成する外箱及び内箱（収容庫）２ａのうちの被保存物を収容する内箱２ａの外周面に熱的に接続されており、低沸点冷媒の蒸発作用により庫内を冷却する。尚、図２では、図示の便宜上、蒸発器２２５及び内箱２ａが重ねて記載されている。カスケード温度センサ２４は、カスケードコンデンサ２３の例えば蒸発器２１４の出口近傍に設けられ、庫内温度センサ２５は、庫内の所定位置に設けられている。
【００１５】
以上の構成を備えた冷却貯蔵庫２は、集中監視装置１０から設定温度の情報を受信すると、受信した情報をＲＡＭ２５３に記憶し、庫内温度センサ２５の検出温度がＲＡＭ２５３に記憶される設定温度となるように、例えば冷凍回路２０の圧縮機２１１、２２１のオン・オフ状態を制御するようになっている。また、この冷却貯蔵庫２は、カスケード温度センサ２４の検出温度や庫内温度センサ２５の検出温度等の情報を、自発的に又は要求に応じて、所定時間おきに集中監視装置１０に送信するようになっている。
【００１６】
<<<集中監視装置>>>
図１に例示されるように、集中監視装置１０は、被監視機器である複数の冷却貯蔵庫２の冷凍回路２０の運転状態を監視してその運転状態を制御するべく、ＣＰＵ１１及びメモリ１３（以上、制御装置）と、タイマ（計時装置）１２と、記憶装置１４と、キーボード１６及びマウス１７（以上、入力装置）とを備えた情報処理装置である。また、この集中監視装置は、ディスプレイ（表示装置）１５と、通信インタフェース１８とを更に備えている。ここで、前述した運転状態の監視とは、例えば、複数の冷却貯蔵庫２のそれぞれからカスケード温度や庫内温度等（「チャネル」と総称する）の情報を受信し、受信したチャネルの情報を記憶装置１４に格納し、同記憶装置１４に格納されるチャネルの情報をディスプレイ１５に表示させることである。また、前述した運転状態の制御とは、例えば、所定のタイミングで、複数の冷凍回路２０のそれぞれの設定温度の情報を記憶装置１４から読み出し、読み出した情報を該当の冷却貯蔵庫２に送信することである。尚、チャネル情報は、カスケード温度や庫内温度等に限らず、冷却貯蔵庫２の運転状態を示す情報や周囲温度等の情報であってもよい。
【００１７】
ＣＰＵ１１は、各冷凍回路２０の運転状態の監視や制御等のための所定の処理を実行し、メモリ１３は、このＣＰＵ１１の処理手順を定めるプログラム等を記憶する。タイマ１２は、現在時刻を計時する。ディスプレイ１５は、記憶装置１４に格納されるチャネルの情報を表示する。キーボード１６及びマウス１７は、設定温度の情報やチャネルの情報の表示要求等を入力するための手段である。通信インタフェース１８は、通信回線３に接続されてデータ（チャネルの情報や設定温度の情報等）の送受信をする。
【００１８】
記憶装置１４は、チャネルデータ１４１を格納する。このチャネルデータ１４１とは、冷却貯蔵庫２毎に、チャネルの情報と、その受信時刻とを対応付けるデータである、尚、チャネルデータ１４１は、各冷却貯蔵庫２を特定する情報としての機器名称や機器番号（例えば冷却貯蔵庫Ａ、Ｂ、Ｃはそれぞれ「１１１」、「２２２」、「３３３」）等の他に、各冷却貯蔵庫２の属性等の情報を有していてもよい。
【００１９】
また、記憶装置１４は、以下述べる、エコモード用データ１４２と、グラフ表示用データ１４３と、マップデータ１４４とを格納する。
【００２０】
<<<エコモード用データ>>>
図３に例示されるように、エコモード用データ１４２は、冷却貯蔵庫２のチャネルを特定する情報（例えば「Ａ−２」等）に対し、エコモード運転（省電力運転）の時間帯（第２時間帯）を示す情報（第１情報）と、エコモード運転時の設定温度を示す情報（第２情報）とを対応付けるデータである。ここで、エコモード運転の時間帯は、同運転の開始時刻及び終了時刻によって定められている。尚、エコモード運転に係る設定温度に設定されるチャネルは庫内温度である。
【００２１】
本実施の形態では、１日の時間帯を、エコモード運転の時間帯と、通常モード運転の時間帯（第１時間帯）との２つに分け、後述するように、集中監視装置１０において、エコモード運転の時間帯及び同時間帯での設定温度をキーボード１６やマウス１７等を操作して入力できるようになっている。尚、通常モード運転の時間帯における設定温度の情報も、予め別途入力されて、記憶装置１４に例えば不図示のデータ等として記憶されている。
【００２２】
同図の例示では、冷却貯蔵庫Ａの庫内温度は、或る日の２２時から次の日の６時（即ち、（３０−２４）時）までの時間帯では、設定温度が−７５℃とされている。
【００２３】
このデータに基づいて、集中監視装置１０は、例えば所定時間おきにタイマ１２を参照し、同タイマ１２が計時する現在時刻が２２時に達していると判別すると、エコモード運転時の設定温度（−７５℃）の情報を冷却貯蔵庫Ａに送信し、同タイマ１２が計時する現在時刻が６時に達していると判別すると、通常モード運転の設定温度（−７５℃より例えば１℃だけ低い−７６℃）の情報を冷却貯蔵庫Ａに送信するようになっている。一方、冷却貯蔵庫Ａは、集中監視装置１０から新たな設定温度の情報を受信する都度、ＲＡＭ２５３に記憶される設定温度を新たな設定温度に更新し、庫内温度センサ２５の検出温度がＲＡＭ２５３に記憶される新たな設定温度となるように、冷凍回路２０の圧縮機２１１、２２１のオン・オフ状態を制御するようになっている。
【００２４】
前述した例は、或る日の６時から同一日の２２時までが冷却貯蔵庫Ａの扉の開閉頻度が高い時間帯であり、或る日の２２時から次の日の６時までが冷却貯蔵庫Ａの扉の開閉頻度が低い時間帯である場合の設定例であり、前者の時間帯を通常モード運転の時間帯として設定温度を−７６℃とし、後者の時間帯をエコモード運転の時間帯として設定温度を−７５℃としている。つまり、扉の開閉等による外乱は冷凍回路２０に対し負荷として作用するため、外乱が小さい時間帯（エコモード運転の時間帯）の設定温度を、外乱が大きい時間帯（通常モード運転の時間帯）の設定温度よりも高くすることによって、例えば外乱が小さい時間帯で冷凍回路２０がこれより大きな外乱を前提に定められた設定温度に応じて運転するといった事態を抑制でき、その結果、省電力化が図れる。尚、前述した−７６℃に対する−７５℃は、通常モード運転の時間帯およびエコモード運転の時間帯においてそれぞれ予想される外乱の差等に基づいて予め定められた実験値等である。
【００２５】
図６に例示されるように、エコモード用データ１４２は、集中監視装置１０において、ディスプレイ１５に表示されるエコモード設定用画面１４２０を参照しつつキーボード１６やマウス１７等を操作して入力したデータに基づいて予め生成され、記憶装置１４に格納されている。
【００２６】
ディスプレイ１５に表示されるエコモード設定用画面１４２０は、例えば、冷却貯蔵庫Ａの庫内温度（「Ａ−２」）に関して、エコモード運転（「プログラム運転」）を行なうか否かを設定するためのチェックボックス１４２０ａと、エコモード運転の開始時刻を０時乃至２３時の範囲で設定するための入力欄１４２０ｂと、エコモード運転の終了時刻を０時乃至３６時の範囲で設定するための入力欄１４２０ｃと、エコモード運転時の設定温度を℃単位で設定するための入力欄１４２０ｄと、当該画面１４２０上で設定されて一時記憶領域（不図示）に記憶された情報を記憶装置１４に格納するための「ＯＫ」のボタン１４２０ｅと、同情報を一時記憶領域から消去するための「Ｃａｎｃｅｌ」のボタン１４２０ｆとを備えている。
【００２７】
尚、開始時刻の入力欄１４２０ｂ及び終了時刻の入力欄１４２０ｃにそれぞれ入力される入力値について、以下、補足説明する。
【００２８】
エコモード運転の時間帯を例えば同一日の０時乃至２４時の範囲内で設定する場合には、開始時刻の入力欄１４２０ｂには、０乃至２３のうちの何れかの整数が入力され、終了時刻の入力欄１４２０ｃには、入力欄１４２０ｂの入力値よりも大きく且つ２４以下の整数が入力されるようになっている（例えば、開始時刻を「０」時とし、終了時刻を「８」時とする）。
【００２９】
エコモード運転の時間帯を例えば連続する２日に跨って設定する場合には、開始時刻の入力欄１４２０ｂには、０乃至２３のうちの何れかの整数が入力され、終了時刻の入力欄１４２０ｃには、２５以上且つ前述した上限値３６以下の整数が入力されるようになっている（例えば、開始時刻を「２２」時とし、終了時刻を「３２」時（即ち、次の日の８時）とする）。
【００３０】
以上により、例えば管理者は、集中監視装置１０のディスプレイ１５に表示されるエコモード設定用画面１４２０を参照しつつ同装置１０のキーボード１６やマウス１７等を操作することにより、複数の冷却貯蔵庫２のそれぞれについてエコモード運転の時間帯及び同時間帯での設定温度を効率良く入力できる。
【００３１】
<<<グラフ表示用データ>>>
図４に例示されるように、グラフ表示用データ１４３は、冷却貯蔵庫２のチャネルを特定する情報の組合せに対し、同組合せを特定する情報（例えば番号情報）を対応付けるデータである。本実施の形態では、この組合せは、例えば、１つのディスプレイ１５上で時間変化の様子を一括して閲覧する機会の多い複数のチャネルに関して、例えば管理者が予め登録するためのものである（例えば「お気に入り登録」と称する）。
【００３２】
同図の例示では、同一の冷却貯蔵庫Ａにおけるカスケード温度（「Ａ−１」）、庫内温度（「Ａ−２」）、及び周囲温度（「Ａ−３」）の組合せが、番号「１」として登録されている。また、同図の例示では、同一のチャネル（庫内温度）に係る冷却貯蔵庫Ａ（「Ａ−２」）、冷却貯蔵庫Ｂ（「Ｂ−２」）、及び冷却貯蔵庫Ｃ（「Ｃ−２」）の組合せが、番号「２」として登録されている。
【００３３】
本実施の形態では、グラフ表示用データ１４３は、集中監視装置１０において、ディスプレイ１５に表示される所定のメニュー画面（不図示）を参照しつつキーボード１６やマウス１７等を操作して入力したデータに基づいて予め生成され、記憶装置１４に格納されている。尚、この所定のメニュー画面は、例えば、チャネルデータ１４１における冷却貯蔵庫２のチャネルを特定する全て（又は予め登録された分）の情報を表示し、この中から一括表示をしたいチャネルを選択できるように構成されている。
【００３４】
図７に例示される表示用画面１４００内のグラフ表示領域１４３０には、グラフ表示用データ１４３（図４）で登録された複数のチャネルに該当するチャネルデータ１４１が、時期（時刻）を横軸とし且つ温度を縦軸とする例えば折線グラフである複数のグラフ１４３０ａ、１４３０ｂ、１４３０ｃとして並べて表示される。
【００３５】
管理者がマウス１７等の操作によって上記表示を行なうために、グラフ表示領域１４３０には、グラフ表示用データ１４３で登録された番号の中から該当の番号を選択するための入力欄１４３１と、同入力欄１４３１で選択された番号を設定するための設定ボタン１４３２とが設けられている。入力欄１４３１で該当の番号が選択された後に設定ボタン１４３２がクリックされると、同番号の情報がＣＰＵ１１に送信されるようになっている。ＣＰＵ１１は、番号の情報を受信すると、グラフ表示用データ１４３から、受信した番号に対応するチャネルデータ１４１を読み出して、グラフ表示領域１４３０に複数のグラフ１４３０ａ、１４３０ｂ、１４３０ｃとして表示させるようになっている。
【００３６】
ところで、従来の集中監視装置では、例えば管理者は、各冷却貯蔵庫の運転状態（例えば各チャネルの時間変化）を監視する際、キーボード等を監視対象のチャネル数だけ繰り返し操作して、所望の情報を得ていた。このため、複数の冷却貯蔵庫を監視しなければならない管理者にとって、作業効率が悪かった。また、１つの冷却貯蔵庫の複数のチャネル（カスケード温度、庫内温度、周囲温度等）の時間変化を監視するにも同様の作業負担がかかったため、仮にこの負担を軽減するために監視対象のチャネル数を絞り込んだ場合、監視の精度を保つことが困難となる虞があった。
【００３７】
しかし、本実施の形態の集中監視装置１０によれば、管理者は、１つのディスプレイ１５上で複数のチャネルの時間変化の様子を一括して閲覧できるため、例えば、１つの冷却貯蔵庫２を複数のチャネルにわたって多面的に監視したり、１つのチャネルについて複数の冷却貯蔵庫２を同時に監視したりすることによって、冷却貯蔵庫２の監視精度を向上させることができる。また、一括して閲覧する機会の多い複数のチャネルを予め登録できるため、管理者は、登録されたチャネルのグラフをディスプレイ１５上に迅速に表示させることによって、冷却貯蔵庫２の監視効率を向上させることができる。
【００３８】
<<<マップデータ>>>
図５に例示されるように、マップデータ１４３は、複数の冷却貯蔵庫２が設置される研究所等の施設内の平面図の画像情報である。同図の例示では、マップデータ１４３は、施設内の各階の平面図の画像情報（「１階平面図」、「２階平面図」、「３階平面図」等）を、同画像情報を特定する情報（例えば番号情報）毎に備えている。
【００３９】
図８に例示される表示用画面１４００内のマップ表示領域１４４０は、画像領域１４４１と、リスト領域１４４３とを備えている。ここで、画像領域１４４１には、マップデータ１４４（図５）に予め登録された画像情報（例えば施設内の２階平面図）が表示される。リスト領域１４４３には、チャネルデータ１４１における冷却貯蔵庫２を特定する情報（例えば冷却貯蔵庫Ｃを示すアイコン１４４３ｃ）が表示される。
【００４０】
例えば管理者がマウス１７等の操作によって上記表示を行なうために、マップ表示領域１４４０には、入力欄１４４４と、設定ボタン１４４５とが設けられている。尚、入力欄１４４４は、マップデータ１４４で登録された番号の中から該当の番号を選択するための欄であり、設定ボタン１４４５は、同入力欄１４４４で選択された番号を設定するためのボタンである。入力欄１４４４で該当の番号が選択された後に設定ボタン１４４５がクリックされると、同番号の情報がＣＰＵ１１に送信されるようになっている。ＣＰＵ１１は、番号の情報を受信すると、マップデータ１４４から、受信した番号に対応する画像情報を読み出して、画像領域１４４１に表示させるようになっている。
【００４１】
リスト領域１４４３に表示される例えば冷却貯蔵庫Ｃを示すアイコン１４４３ｃは、機器名称「冷却貯蔵庫Ｃ」やその機器番号「３３３」等を表示するようになっている。この冷却貯蔵庫Ｃを示すアイコン１４４３ｃは、マウス１７のドラッグ＆ドロップ操作によって、画像領域１４４１上の任意の位置に移動し配置できるようになっている。このように本実施形態では、施設の平面図（マップ）の上に被監視機器のアイコンを重ねて表示するマップ表示機能を備えている。
【００４２】
画像領域１４４１に表示されている例えば冷却貯蔵庫Ａを示すアイコン１４４１ａは、該当の機器番号「１１１」等を表示するとともに、同画像領域１４４１に表示される施設内の各部屋に収まる寸法及び形状を呈するようになっている。尚、このアイコン１４４１ａは、マウス１７のドラッグ＆ドロップ操作によって、リスト領域１４４３から移動配置されたものである。また、アイコン１４４１ａの寸法は、例えば画像領域１４４１に表示される施設内の各部屋の大きさ等に応じて、複数種類の寸法（例えばSmall・Medium・Large等）を呈するように設定可能となっている。アイコン１４４１ａを、該当の冷却貯蔵庫Ａの実際の設置場所に対応する画像領域１４４１上の位置に配置することにより、管理者にとって、冷却貯蔵庫Ａとその設置場所との関係が視覚的に把握し易くなる。これにより、冷却貯蔵庫２を集中監視する際にその監視効率が向上する。また、冷却貯蔵庫Ａが設置される部屋に対応する画像領域１４４１上の面積に応じて同部屋内に収まるようにアイコン１４４１ａの寸法を変更できるため、例えば冷却貯蔵庫２の数が多い場合や施設内の間取りが複雑な場合等であっても、監視効率の低下を抑制できる。
【００４３】
また、マウス１７の操作によってディスプレイ１５上のカーソルをアイコン１４４１ａに合わせると、冷却貯蔵庫Ａに該当する機器番号や機器名称等以外に、例えば、チャネルデータ１４１における現在時刻（例えば「２００８年５月１１日１２：００」）や同時刻における該当の庫内温度（例えば「−８０℃」）等を示す吹き出し１４４２ａが表示されるようになっている。尚、現在時刻はタイマ１２により計時されており、例えば、カーソルがアイコン１４４１ａに合わせられたとき、チャネルデータ１４１から、タイマ１２により計時された現在時刻に最も近い時刻に対応する庫内温度が読み出されて、吹き出し１４４２ａ内に示されるようになっている。例えば、冷却貯蔵庫Ａが設置される部屋に対応する画像領域１４４１上の面積が小さいが故に同部屋内に収まるアイコン１４４１ａの寸法も同様に小さい場合であっても、面積に特に制限のない吹き出し１４４２ａを通じて、管理者は、冷却貯蔵庫Ａに係る十分な情報を閲覧できる。よって、冷却貯蔵庫２を集中監視する際にその監視効率がより一層向上する。
【００４４】
更に、画像領域１４４１に表示されるアイコン１４４１ａは、ディスプレイ１５がカラーディスプレイである場合、チャネルデータ１４１における現在時刻に対応する庫内温度が予め定められた警告値に達したとき、その警告値の複数のレベルに応じて背景色を黄色や赤色等の複数の異なる色を呈するようになっている。尚、本実施の形態では、現在時刻の庫内温度が予め定められた複数のレベルの警告値の何れかに達しているか否かは、集中監視装置１０が、チャネル情報を受信する都度判別し、その判別結果をチャネルデータ１４１として記憶装置１４に格納している。これにより、管理者は、該当の冷却貯蔵庫２の運転状態の異常の有無及び異常が有る場合にはそのレベルを視覚的に把握し易くなる。
【００４５】
以上は、図８に例示される冷却貯蔵庫Ｂを示すアイコン１４４１ｂについても同様である。
【００４６】
尚、前述したアイコン１４４１ａ、１４４１ｂの寸法や警告値のレベルに応じた背景色等の設定は、表示用画面１４００又はその他の所定のメニュー画面（不図示）を通じて設定できるようになっている。
【００４７】
ところで、従来の集中監視装置では、例えば管理者は、複数の冷却貯蔵庫の運転状態をディスプレイの画面を通じて閲覧していたが、この画面では、施設内の複数の冷却貯蔵庫の複数の設置場所は、（もし表示される場合でも）例えば記号等のテキスト情報として表示されていた。このため、監視対象の冷却貯蔵庫の数が多くなるほど、管理者にとって、これらの冷却貯蔵庫とそれぞれの設置場所との関係を把握することが困難になり、監視効率が悪かった。
【００４８】
しかし、前述したように、本実施の形態の集中監視装置１０によれば、管理者は、監視対象の冷却貯蔵庫２が設置された施設全体を俯瞰するようにその設置場所との関係を視覚的に把握できるため、冷却貯蔵庫２を集中監視する際にその監視効率が向上する。
【００４９】
<<<その他の実施の形態>>>
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００５０】
前述した実施の形態では、保存機器を冷却貯蔵庫２としたが、これに限定されるものではない。保存機器が例えば培養装置である場合、培養室内を（周囲温度より高い）設定温度まで加熱するために、温度可変装置としてヒータを備えている。ここで、培養物の出し入れの際の培養室の扉を開放は、同培養室内の温度を低下させる方向に作用する。そこで、扉の開閉等による外乱が小さい時間帯の設定温度を、外乱が大きい時間帯の設定温度よりも低くすることによって、外乱が小さい時間帯（エコモード運転の時間帯）で例えばヒータがこれより大きな外乱を前提に定められた設定温度に応じて運転するといった事態を抑制でき、その結果、省電力化が図れる。
【００５１】
前述した実施の形態では、集中監視装置１０は、複数の冷却貯蔵庫２と接続されていたが、これに限定されるものではなく、例えば１つの冷却貯蔵庫２と接続されて集中監視システム１が構成されていてもよい。
【００５２】
前述した実施の形態では、１日の時間帯を、エコモード運転の時間帯（第２時間帯）と、通常モード運転の時間帯（第１時間帯）との２つに分けたが、この１日という時間単位に限定されるものではない。双方の時間帯は、１日に限らない所定の期間（時間）を単位として、外乱の時間分布に応じて設定されればよい。
【００５３】
例えば、１週間を構成する７つの曜日を、エコモード運転の曜日と、通常モード運転の曜日とに分けてもよい（例えば、１週間のうち、土曜日及び日曜日にエコモード運転を行い、それ以外に通常モード運転を行う等）。また、各曜日について更に時間帯に応じて運転モードを定めてもよい（例えば、１週間のうち、土曜日の１６時から日曜日の３４時までエコモード運転を行い、それ以外に通常モード運転を行う等）。
【００５４】
或いは、例えば、１箇月間や１年間等を構成する日付を、エコモード運転の日付と、通常モード運転の日付とに分けてもよい（例えば、１箇月間のうち、１０日乃至２０日にエコモード運転を行い、それ以外に通常モード運転を行う等）。また、各日付について更に時間帯に応じて運転モードを定めてもよい（例えば、１箇月間のうち、１０日乃至１５日の０時から８時まで及び１６日乃至２０日の１時から９時までエコモード運転を行い、それ以外に通常モード運転を行う等）。
【００５５】
以上の場合のエコモード用データは、エコモード設定用画面を通じて入力されるエコモード運転の時間帯を定めるための曜日や日付等を示す情報を含んでいればよい。
【００５６】
前述した実施の形態では、エコモード運転の時間帯を設定するための外乱の要因を扉の開閉としたが、これに限定されるものではない。要するに、保存機器の使用環境や使用形態等に応じて比較的長い時間スパン（例えば数時間）で所定の変動傾向をもつ外乱であれば、いかなるものであってもよい。
【００５７】
前述した実施の形態では、表示用画面１４００に表示されるグラフ１４３０ａ、１４３０ｂ、１４３０ｃの縦軸のチャネルは、カスケード温度、庫内温度、周囲温度等であるとしたが、これに限定されるものではない。例えば、保存機器が培養装置の場合、チャネルデータ１４１を構成するチャネルは、培養室内の二酸化炭素や酸素等の濃度であってもよいし、或いは湿度であってもよい。これは、表示用画面１４００に表示されるグラフ１４３０ａ、１４３０ｂ、１４３０ｃの縦軸のチャネルに反映される。
【符号の説明】
【００５８】
１  集中監視システム                  ２  冷却貯蔵庫
２ａ  内箱                            ３  通信回線
１０  集中監視装置                    １１、２５０  ＣＰＵ
１２  タイマ                          １３  メモリ
１４  記憶装置                        １５  ディスプレイ
１６  キーボード                      １７  マウス
１８、２５１  通信インタフェース      １４１  チャネルデータ
１４２  エコモード用データ            １４３  グラフ表示用データ
１４４  マップデータ                  ２０、２１、２２  冷凍回路
２３  カスケードコンデンサ            ２４  カスケード温度センサ
２５  庫内温度センサ                  ２１１、２２１  圧縮機
２１２、２２３  凝縮器                ２１２ａ  プレコンデサ
２１２ｂ  コンデンサ                  ２１３、２２４  キャピラリチューブ
２１４、２２５  蒸発器                ２１５、２２６  冷媒配管
２２２  プレコンデンサ                ２５２  ＲＯＭ
２５３  ＲＡＭ                        １４００  表示用画面
１４２０  エコモード設定用画面        １４２０ａ  チェックボックス
１４２０ｂ、１４２０ｃ、１４２０ｄ  入力欄
１４２０ｅ、１４２０ｆ  ボタン        １４３０  グラフ表示領域
１４３０ａ、１４３０ｂ、１４３０ｃ  グラフ
１４３１、１４４４  入力欄            １４３２、１４４５  設定ボタン
１４４０  マップ表示領域              １４４１  画像領域
１４４１ａ、１４４１ｂ、１４４１ｃ、１４４３ｃ  アイコン
１４４２ａ  吹き出し                  １４４３  リスト領域
【図１】
2010190521.tif 000003
【図２】
2010190521.tif 000004
【図３】
2010190521.tif 000005
【図４】
2010190521.tif 000006
【図５】
2010190521.tif 000007
【図６】
2010190521.tif 000008
【図７】
2010190521.tif 000009
【図８】
2010190521.tif 000010